(57)【要約】【課題】センサー部材はベゼル枠の狭いタイプの表示装置にも採用可能であり、不使用時には表示面側から見えない位置に保持できる。【解決手段】液晶表示装置１は、前面に表示面２ａを有する液晶表示パネル２を含む表示モニター本体５の背面側に第一アーム７とヒンジ部８を取り付ける。ヒンジ部８に設けた回動可能な第二アーム９にセンサー部材４を９０度より大きな角度で取り付けた。センサー部材４はヒンジ部８で回転させて表示モニター本体５の表示面２ａ側と背面側とに選択的に位置する。センサー部材４を表示モニター本体５の背面側に設けると表示面２ａ側から目視できない。【選択図】図２
2016184053.tif 000002
【特許請求の範囲】
【請求項１】
前面に表示面を有する表示モニター本体と、
前記表示モニター本体の背面側に設けた第一アームと、
前記第一アームにヒンジ部を介して連結した回動可能な第二アームと、
前記第二アームに取り付けたセンサー部材とを備え、
前記センサー部材はヒンジ部で回転させて前記表示モニター本体の表示面側と背面側とに選択的に位置させるようにしたことを特徴とする表示装置。
【請求項２】
前記第一アームとヒンジ部は前記表示モニター本体のベゼル枠より背面の内側に設けた請求項１に記載された表示装置。
【請求項３】
前記センサー部材と第二アームとの取り付け角度は９０度より大きく設定されている請求項１または２に記載された表示装置。
【請求項４】
前記センサー部材は人感センサーを有しており、前記表示モニター本体の表示面側に位置するときにＯＮ状態となるようにした請求項１から３のいずれか１項に記載された表示装置。
【請求項５】
前記センサー部材は照度センサーを有しており、前記表示モニター本体の背面側に位置するときには背面側の照度を測定し、前記表示モニター本体の表示面側に位置するときには表示面側の照度を測定するようにした請求項１から４のいずれか１項に記載された表示装置。
【請求項６】
前面に表示面を有する表示モニター本体の背面にアーム部とヒンジ部を介してセンサー部材を回動可能に取り付け、
前記センサー部材をヒンジ部で回動させることで前記表示モニター本体の表示面側に位置させ、
前記センサー部材をヒンジ部で回動させることで前記表示モニター本体の背面側に位置させて前記表示面側から見えないようにしたことを特徴とする表示装置の使用方法。
【発明の詳細な説明】
【技術分野】
【０００１】
本発明は、表示モニター本体にセンサー部材を取り付けた表示装置と表示装置の使用方法に関する。
【背景技術】
【０００２】
従来、液晶ディスプレイ等の表示装置では、表示モニター本体の表示面の明るさを常に見やすい状態にするために照度センサーを備えたものが知られている。例えば特許文献１に記載された表示装置では、デジタルカメラ等に搭載された液晶表示部が可変であるため表示面近傍とその裏面とにそれぞれ照度センサーを取り付けている。そして液晶表示部が可動であっても表裏面の照度センサーの検出結果に基づいて表示面の輝度を制御して表示面の明るさを見やすいように調整している。
【０００３】
また、特許文献２に記載された表示装置では、表示モニター本体を囲うベゼルの前面側に表示面の輝度や色度等の光学特性を測定する光センサーを有するセンサユニットを設けている。このセンサユニットは不使用時にはベゼルに設けた長孔内に収納して表示面から退避させている。使用時にはベゼルの長孔からセンサユニットを表示面に対向する位置に回動させ、更に表示面に近接する位置にセンサユニットを前進させて周囲の外光の影響を受けないようにして光センサーで表示面の光学特性を測定するようにしている。
【先行技術文献】
【特許文献】
【０００４】
【特許文献１】特開２０１１−８５６９９号公報
【特許文献２】特開２０１２−１５０１３６号公報
【発明の概要】
【発明が解決しようとする課題】
【０００５】
しかしながら、特許文献１に記載された表示装置は液晶表示部の表裏面にそれぞれ照度センサーを取り付ける必要があるためコスト高になる欠点がある。
また、特許文献２に記載された表示装置は表示装置の表示面の輝度や色度等の光学特性を測定するものにすぎず、表示面の周囲の明るさを測定するものではないので表示面の前方や後方等の周囲の明るさ変化に応じた表示面の輝度の制御はできない欠点があった。
また、センサユニットはベゼルに設けた長孔に対して回動することで表示面に進退するため構造が複雑であり、センサユニットを収納するための厚みが大きく幅広のベゼル枠が必要になるため、表示装置が大型化する上にコスト高になる欠点がある。そのため、ベゼル枠の狭いタイプの表示装置には採用できないという欠点もある。
【０００６】
本発明は、上述した課題に鑑みてなされたものであり、ベゼル枠の狭いタイプの表示装置にも採用可能であり、不使用時には表示面側から見えない位置に保持することができるようにした表示装置と表示装置の使用方法を提供することを目的とする。
【課題を解決するための手段】
【０００７】
本発明による表示装置は、前面に表示面を有する表示モニター本体と、表示モニター本体の背面側に設けた第一アームと、第一アームにヒンジ部を介して連結した回動可能な第二アームと、第二アームに取り付けたセンサー部材とを備え、センサー部材はヒンジ部で回転させて表示モニター本体の表示面側と背面側とに選択的に位置させるようにしたことを特徴とする。
【０００８】
本発明による表示装置の使用方法は、表示モニター本体の背面にアーム部とヒンジ部を介してセンサー部材を回動可能に取り付け、センサー部材をヒンジ部で回動させることで表示モニター本体の表示面側に位置させ、センサー部材をヒンジ部で回動させることで表示モニター本体の背面側に位置させて表示面側から見えないようにしたことを特徴とする。
【発明の効果】
【０００９】
本発明に係る表示装置と表示装置の使用方法によれば、センサー部材をヒンジ部によって回動させて表示モニター本体の表示面側と背面側とに選択的に位置させることができてセンサー部材による測定が可能であるため低コストであり、しかも背面側に位置させると表示面側からセンサーを目視できないように隠れるため美観に優れている。また、センサー部材を背面側に位置させて複数の表示装置を組み合わせて大画面化でき、センサー部材が邪魔にならない。
【図面の簡単な説明】
【００１０】
【図１】本発明の実施形態による液晶表示装置と表示面側に位置させたセンサー部材を示す正面図である。
【図２】図１に示す液晶表示装置において表示面側にセンサー部材を位置させた側面図である。
【図３】図１に示す液晶表示装置において背面側にセンサー部材を位置させた側面図である。
【図４】液晶表示装置の表示面側にセンサー部材を位置させた状態における人感センサーを示す要部断面図である。
【図５】表示面側にセンサー部材を位置させた状態における照度センサーを示す要部断面図である。
【図６】表示面側にセンサー部材を位置させて人感センサーを照射した状態を示す図である。
【図７】表示面側にセンサー部材を位置させて照度センサーを照射した状態を示す図である。
【図８】背面側にセンサー部材を位置させて照度センサーを照射した状態を示す図である。
【発明を実施するための形態】
【００１１】
以下、本発明の実施形態による表示装置とセンサー部材の使用方法を図１〜図８を参照して説明する。
図１は本発明の実施形態における表示装置として例えば液晶表示装置１を示す図である。図１に示す液晶表示装置１は、表示面２ａを表面に露出させる液晶表示パネル２とその背面に設けた図示しない光源としてのバックライトと背面カバーとを有する表示モニター本体５を備えている。表示モニター本体５の四辺の側部には例えば幅の狭いベゼル枠３が配設されている。また、ベゼル枠３の下部中央にはセンサー部材４が保持されている。
【００１２】
図２において、表示モニター本体５の背面には、センサー部材４のアーム部６が取り付けられている。アーム部６は、ベゼル枠３よりも内側である表示モニター本体５の背面に第一アーム７が固定され、その他端部にはヒンジ部８が取り付けられている。ヒンジ部８には第二アーム９が回動可能に支持されており、第二アーム９の他端部にはセンサー部材４が連結されている。
しかもセンサー部材４は第二アーム９と９０度より大きい鈍角の角度θで固定されている。そのため、図１及び図２に示すようにセンサー部材４を表示面２ａ側に位置させた状態で、センサー部材４は表示モニター本体５の側面を囲うベゼル枠３の例えば真下に近接または当接して配置されている。この状態で、表示面２ａとセンサー部材４の前面とはほぼ面一に設定されていることが好ましい。また、図３に示すように、センサー部材４を表示モニター本体５の背面側に位置させた状態では、センサー部材４は表示モニター本体５の背面に当接して保持されている。
【００１３】
次にセンサー部材４について図４及び図５に沿って詳述する。
センサー部材４は例えば箱状に形成された筐体１１内に１または複数のセンサーが設置されている。本実施形態では、ベゼル枠３が小幅であるためにセンサーの内装が困難であるので、液晶表示装置１の外付け装置としてセンサー部材４が設置されている。センサー部材４の筐体１１内には例えば人感センサー１２と照度センサー１３とが並列に設置され、これ以外にリモコン受信機等を設置可能である。
【００１４】
人感センサー１２には赤外線、超音波、可視光等が用いられる。人感センサー１２は図４に示すように筐体１１内にセンサー基板１５が設けられ、その前側に人感センサーレンズ１６が設置されている。人感センサーレンズ１６の前面部は筐体１１の前面に設けた開口１１ａに設置されている。人感センサーレンズ１６の背面にはセンサー基板１５に実装された人感センサー受信器１７が設けられている。
そして、センサー基板１５はアーム部６内に設置された通信ケーブル１８を通して液晶表示装置１と接続されていて、人感センサー１２で表示面２ａの前面側に人がいることを検出すると例えば液晶表示装置１をＯＮにし、人を検出しないとＯＦＦにする等の制御がなされる。
【００１５】
人感センサー１２は、例えば図２に示すようにセンサー部材４が表示モニター本体５の表示面２ａ側に位置する場合にＯＮ状態となり、図３に示すように表示モニター本体５の背面側に位置する場合にＯＦＦとなるように構成されている。
そのため、人感センサー１２は例えばヒンジ部８内に図示しない接点が設けられ、第一アーム７に対するヒンジ部８またはヒンジ部８に対する第二アーム９の回転角度によって接点が接離してＯＮ，ＯＦＦの切り替えが行われてもよい。或いは、センサー部材４が表示モニター本体５の表示面２ａ側に位置する状態、または表示モニター本体５の背面側に位置する状態で、表示モニター本体５の下面または背面と筐体１１とに設けた磁気センサーが接離することで、ＯＮ，ＯＦＦの切り替えが行われるようにしてもよい。
【００１６】
また、照度センサー１３は、図５に示すように筐体１１内にセンサー基板２０が設けられ、その前側に照度センサーレンズ２１が設置されている。照度センサーレンズ２１の前面部は筐体１１の前面に設けた開口１１ｂから外部に突出し且つ上向きに形成され、照度センサー１３が表示モニター本体５の表示面側だけでなく背面側に位置する場合でも照度を感度良く検出可能としている。照度センサーレンズ２１の背面にはセンサー基板２０に実装された照度センサー受信器２２が設けられている。
【００１７】
そして、センサー基板２０はアーム部６内に設置された通信ケーブル２３を通して液晶表示装置１と接続されている。
照度センサー１３は表示モニター本体５の表示面２ａ側（前面側）に位置する場合と表示モニター本体５の背面側に位置する場合とで受光量が異なることが多い。一般的には表示面２ａ側での受光量が大きく、背面側での受光量が小さい。それらの場合でも正確な周辺照度を液晶表示装置１の輝度に反映するために、照度センサー１３が表示面２ａ側に位置する場合と背面側に位置する場合とで受光量に対する補正パラメータの基準が異なるように設定されている。
【００１８】
しかも、照度センサー１３の位置に応じた測定照度に対する補正パラメータの切り替えは、上述した人感センサー１２と同様に、例えば第一アーム７に対するヒンジ部８の回転角度またはヒンジ部８に対する第二アーム９の回転角度による接点の接離によって行うか、或いは表示モニター本体５の下面または背面と筐体１１とに設けた磁気センサーの接離によって行うことができる。
これによって、照度センサー１３の位置が表示モニター本体５の前面側であっても背面側であっても液晶表示パネル２の表示面２ａの輝度が適正になるようにバックライトの輝度を調整できる。
【００１９】
本実施形態による液晶表示装置１のセンサー部材４は上述した構成を備えており、センサー部材４の使用方法の一例について図６から図８を中心に説明する。
液晶表示装置１の表示モニター本体５に対してセンサー部材４が図６及び図７に示すように表示面２ａ側（前面側）に位置している場合には、センサー部材４の人感センサー１２はＯＮ状態にあり、照度センサー１３もＯＮ状態にある。人感センサー１２による赤外線等の検出領域は図６に示すように上下方向と左右方向に広がっている。
この状態で、人感センサー１２によって表示モニター本体５の前面側にいる人を検出すると、通信ケーブル１８を介して液晶表示装置１をＯＮすることができる。
【００２０】
また、照度センサー１３による周辺の明るさの検出領域は図７に示すように水平方向から上方と左右方向に形成されている。照度センサー１３は表示面２ａ側（前面側）に位置すると、裏面側に位置する場合と比較して受光量が多く検出する周辺の照度が高い。しかも照度センサー１３は表示面２ａ側（前面側）に位置する場合には前面側の補正パラメータ基準が選択されているため、検出する受光量の大きな照度とこの検出値に対する補正パラメータによる補正値とによって、液晶表示パネル２の輝度が適正になるように調整される。
【００２１】
この状態から、センサー部材４が表示モニター本体５の背面側に切り替えられると、センサー部材４はアーム部６のヒンジ部８を中心に反時計回りに回転させられ、筐体１１が液晶表示装置１の背面に当接する位置に保持される。その際、第一アーム７に対するヒンジ部８またはヒンジ部８に対する第二アーム９の回転によって例えば電気的な接点または磁気センサーが切り替えられ、センサー部材４内の人感センサー１２はＯＦＦに切り替えられ、照度センサー１３は背面側の補正パラメータ基準に切り替えられる。
この状態で、照度センサー１３は図８に示すように液晶表示装置１の背面に沿って壁面側の照度を検出する。液晶表示装置１の背面側の照度は前面側と比較して小さいため、背面側の補正パラメータ基準によって補正されて液晶表示パネル２の輝度が適正になるように調整される。
【００２２】
上述のように本実施形態による液晶表示装置１は、センサー部材４をアーム部６のヒンジ部８によって回動させて表示モニター本体５の表示面２ａ側と背面側とに選択的に位置させ、第一アーム７とヒンジ部８が表示モニター本体５の背面でベゼル枠３の内側にあるため、背面側の位置では前面側からセンサー部材４が見えないので液晶表示装置１の外観に影響を与えず、低コストである。
しかも、外付けのセンサー部材４を設けたために小幅のベゼル枠３を有する表示装置にも採用できて、液晶表示装置１を複数組み合わせて大画面を形成する場合にはセンサー部材４が邪魔にならない。
また、センサー部材４の人感センサー１２は、前面側の位置でＯＮ、背面側の位置でＯＦＦに切り替えでき、照度センサー１３は、表示面２ａ側と背面側とで検出する照度の値が相違するため、これに応じてバックライトの輝度の補正パラメータ基準を前面側のものと背面側のものとのいずれかに切り替えて、いずれの場合も液晶表示パネル２の表示面２ａの輝度を適正に調整することができる。
更に、センサー部材４と第二アーム９は９０度を超える鈍角に固定したので、背面側に回転させた際にセンサー部材４を液晶表示装置１の背面に当接させ易くアーム部６とセンサー部材４を含めた液晶表示装置１全体の厚みを小さくできる。
【００２３】
なお、本発明は上述の実施形態による液晶表示装置１に限定されることはなく、本発明の要旨を変更しない範囲で適宜の変更や置換等が可能であり、これらはいずれも本発明に含まれる。以下に本発明の変形例について、上述した実施形態で用いた部材や部品と同一または同様なものには同一の符号を用いて説明する。
【００２４】
例えば、センサー部材４の人感センサー１２や照度センサー１３のＯＮとＯＦＦの切り替えはアーム部６の正逆回転時に接点や磁気センサー等で行うようにしたが、これに代えて表示面２ａ等に設けたパネルスイッチの操作等によって行うようにしてもよい。
また、上述した実施形態では照度センサー１３における照度センサーレンズ２１を上向きに形成したが、これに代えて正面を向くように形成してもよく、この場合には照度センサー１３による明るさの検出範囲は上下左右方向に設定することができる。また、上述した実施形態では、センサー部材４を表示モニター本体５の表示面２ａ側に位置させた際に表示面２ａの下側のベゼル枠３の下面側に位置するようにした。しかし、この構成に代えて、センサー部材４が表示面２ａの両側部や上部のベゼル枠３の外側に位置するようにアーム部６を表示モニター本体５の背面側に取り付けてもよい。
【００２５】
なお、本発明の上述した実施形態では、表示装置として液晶表示装置１を用いて説明したが、本発明によるセンサー部材４は液晶表示装置１に限定されるものではなく、有機ＥＬディスプレイやプラズマディスプレイ等の各種の表示装置に適用できる。
【符号の説明】
【００２６】
１  液晶表示装置
２  液晶表示パネル
２ａ  表示面
４  センサー部材
５  表示モニター本体
６  アーム部
７  第一アーム
８  ヒンジ部
９  第二アーム
１２  人感センサー
１３  照度センサー
【図１】
2016184053.tif 000003
【図２】
2016184053.tif 000004
【図３】
2016184053.tif 000005
【図４】
2016184053.tif 000006
【図５】
2016184053.tif 000007
【図６】
2016184053.tif 000008
【図７】
2016184053.tif 000009
【図８】
2016184053.tif 000010